(57)【要約】      （修正有）【課題】劣悪な気候状況に対抗できるソーラーパネルモジュールの強化構造を提供する。【解決手段】ソーラーパネルモジュール１０００は、複数の透過性のないソーラーパネル１００、１００’、ガラス板１３０、背面板１４０、及びフレーム１６０を含む。ソーラーパネルモジュール１０００のソーラーパネル１００及び１００’の間の距離ｄで示される非発電領域において、−方向ｙに沿って正面強化構造３００を設置する。正面強化構造３００は、巻線方式で−方向ｙにソーラーパネルモジュール１０００全体を固定し、フレーム１６０を固定する。従って、それは、ただソーラーパネルモジュール１０００の正面に設置されるだけではなく、ソーラーパネルモジュール１０００の背面まで更に延伸して背面強化構造になる。 【選択図】図１
0003200618.tif 000002
【実用新案登録請求の範囲】
【請求項１】
ソーラーパネルモジュールの強化構造であって、該ソーラーパネルモジュールは、複数のソーラーパネル及び該複数のソーラーパネルの外縁に位置するフレームを含み、該強化構造は、隣り合う２つの該ソーラーパネルの間の非発電領域に位置するソーラーパネルモジュールの強化構造。
【請求項２】
前記強化構造は、少なくとも１つの固定装置によって該フレームに結合する請求項１に記載のソーラーパネルモジュールの強化構造。
【請求項３】
前記固定装置は、挟持具又は張力調整装置である請求項２に記載のソーラーパネルモジュールの強化構造。
【請求項４】
前記強化構造は、該ソーラーパネルモジュールの正面から背面まで延伸し、巻線方式で該フレームを固定する請求項１に記載のソーラーパネルモジュールの強化構造。
【請求項５】
前記強化構造及び該ソーラーパネルモジュールの間に設置される緩衝パッドを更に含む請求項１に記載のソーラーパネルモジュールの強化構造。
【請求項６】
前記緩衝パッドは、該強化構造及び該フレームの間に設置される請求項５に記載のソーラーパネルモジュールの強化構造。
【請求項７】
前記強化構造の一端は、張力調整装置と結合する請求項１に記載のソーラーパネルモジュールの強化構造。
【請求項８】
前記強化構造は、鋼索、円形鋼棒、方形鋼棒、鋼シート又は工字鋼梁である請求項１に記載のソーラーパネルモジュールの強化構造。
【請求項９】
前記強化構造及び該ソーラーパネルモジュールの間にギャップを有する請求項１に記載のソーラーパネルモジュールの強化構造。
【請求項１０】
前記強化構造は、ストリップ状であり、日光が該強化構造の長軸に垂直な方向から照射し、該ソーラーパネルの平面と３０度を挟む時、該強化構造の影は、該ソーラーパネルの発電領域を遮蔽しない請求項９に記載のソーラーパネルモジュールの強化構造。
【請求項１１】
前記強化構造は、ストリップ状であり、該ソーラーパネルモジュールは、背面に更に、長形支持構造を含む請求項１に記載のソーラーパネルモジュールの強化構造。
【請求項１２】
前記長形支持構造は、支持柱であり、且つ該支持柱は、伸縮可能な設計を有する請求項１１に記載のソーラーパネルモジュールの強化構造。
【請求項１３】
前記支持柱は、該フレームの相対両側を固定する請求項１２に記載のソーラーパネルモジュールの強化構造。
【請求項１４】
更に、該支持柱及び該フレームの間に位置する緩衝パッドを含む請求項１３に記載のソーラーパネルモジュールの強化構造。
【請求項１５】
前記支持柱の両末端は、該フレームの外側に露出する請求項１３に記載のソーラーパネルモジュールの強化構造。
【考案の詳細な説明】
【技術分野】
【０００１】
本考案は、ソーラーパネルモジュールの強化構造に関し、特に、ソーラーパネルモジュールの正面及び／又は背面に設ける強化構造に関する。
【背景技術】
【０００２】
ソーラーパネルモジュールは、屋根又は戸外に取り付けられ、劣悪な気候状況、例えば、強風又は降雪に経常的にさらされる。可撓性の有無にかかわらず、ソーラーパネルモジュールが強い風圧又は過重な積雪に遭遇する時、変形湾曲、更には断裂し易く、ソーラーパネルモジュールが機能失効又は故障を招く。
【０００３】
【考案の概要】
【考案が解決しようとする課題】
【０００４】
これに鑑み、業界は、ソーラーパネルモジュールが劣悪な気候状況に対抗できるよう補助する強化構造が必要としている。
【課題を解決するための手段】
【０００５】
本考案の目的は、ソーラーパネルモジュールを劣悪な気候状況に対抗させる強化構造を提供することにあり、該ソーラーパネルモジュールは、複数のソーラーパネル及び該複数のソーラーパネルの外縁に位置するフレームを含み、該強化構造は、隣り合う２つの該ソーラーパネルの間の非発電領域に位置する。
【０００６】
実施例において、該強化構造は、少なくとも１つの固定装置、例えば、張力調整装置又は挟持具によって該フレームに結合される。もう１つの実施例において、該強化構造は、巻線方式で該フレームを固定する。該強化構造は、鋼索、円形鋼棒、方形鋼棒、鋼シート又は工字鋼梁である。
【０００７】
実施例において、該ソーラーパネルモジュールは、その背面に長形支持構造を更に含む。
【０００８】
実施例において、該強化構造は、ストリップ状であり、日光が該強化構造の長軸に垂直な方向から照射し、該ソーラーパネルの平面と３０度を挟む時、該強化構造の影は、該ソーラーパネルの発電領域を遮蔽しない。
【０００９】
実施例において、該ソーラーパネルモジュールは、該強化構造と該フレームとの間及び／又は該支持構造と該フレームとの間に位置する緩衝パッドを更に含む。
【考案の効果】
【００１０】
本考案が提供するは、ソーラーパネルモジュールの強化構造は、ソーラーパネルモジュールを劣悪な気候状況に対抗させることができる。
【図面の簡単な説明】
【００１１】
【図１】ソーラーパネルモジュール及び本考案の第１、第２又は第３実施例に基づく正面強化構造の正面図である。
【図２】ソーラーパネルモジュール及び本考案の第１、第２又は第３実施例に基づく背面強化構造の背面図である。
【図３】図２のソーラーパネルモジュール、本考案の第１実施例に基づく正面強化構造及び本考案の背面支持構造の縦断面透視図である。
【図４】ソーラーパネルモジュール、本考案の第２又は第３実施例に基づく正面強化構造及び本考案の背面支持構造の背面図である。
【図５】図４のソーラーパネルモジュール、本考案の第２実施例に基づく正面強化構造および本考案の背面支持構造の縦断面透視図である。
【図６】図４のソーラーパネルモジュール、本考案の第３実施例に基づく正面強化構造および本考案の背面支持構造の縦断面透視図である。
【図７】ソーラーパネルモジュール及び本考案に基づく背面支持構造の横断面透視図又は本考案に基づくもう１つの背面支持構造の縦断面透視図である。
【考案を実施するための形態】
【００１２】
以下に本考案の好適実施例を詳細に説明し、本文に記載する部材、部材のサブ部、構造、材料、配置等は、何れも説明の順序又は所属する実施例によらずに任意に新たな実施例を組み合わせることができ、それら実施例も本考案の範疇である。
【００１３】
本考案の実施例及び図面の多くは、混雑を回避する為、類似する部材は、同一又は相似する符号で示し、画面が過度に複雑で混乱することを回避する為、重複する部材は、一箇所のみを示し、他箇所は、これにより類推する。
【００１４】
図１〜図３を参考し、それは、それぞれソーラーパネルモジュール１０００、本考案の第１実施例に基づく正面強化構造３００及び本考案に基づく背面支持構造５００の正面図、背面図及び縦断面透視図である。図１、図２及び図３に示すように、ソーラーパネルモジュール１０００は、複数の透過性のないソーラーパネル１００及び１００’（図では、３つを示して説明するが、より多く含むことができる）、ガラス板１３０、背面板１４０、及びフレーム１６０を含む。
【００１５】
複数のソーラーパネル１００及び１００’は、矩形を呈し、それぞれｘ方向に沿った短辺及びｙ方向に沿った長辺を有する。ガラス蓋板１３０及び背面板１４０は、矩形を呈し、それぞれｙ方向に沿った短辺及びｘ方向に沿った長辺を有し、且つ背面板１４０は、ガラス蓋板より略大きい。ソーラーパネル１００及び１００’は、ガラス蓋板１３０及び背面板１４０に沿った長辺は、隣接配置され、且つガラス蓋板１３０及び背面板１４０の間に設けられる。ソーラーパネル１００及び１００’とガラス蓋板との間及び背面板との間にパッケージ材料（図示せず）を設け、相互の間の接続を補助する。各ソーラーパネル１００及び隣り合うソーラーパネル１００’の間は、適当な距離ｄを保持しなければならず、図１は、距離ｄに示される領域は、ソーラーパネルモジュール１０００の非発電領域である。
【００１６】
各ソーラーパネル１００及び１００’は、下から上へ背面ガラス（図示せず）及び光電素子層（図示せず）から構成される積層構造を有する。光電素子層（図示せず）は、下から上へパターン化下電極層、パターン化光電変換層、選択的パターン化緩衝層及びパターン化透明上電極層、例えば、インジウム錫酸化物(ITO)及び／又は酸化亜鉛層(ZnO)を含むことができる。下電極及び透明上電極層は、光電変換層により発生する電流を伝送することに用いる。光電変換層は、透明上電極層及び選択的パターン化緩衝層を透過する光を吸収し、それを電流に変換することに用い、それは、銅 (Cu)、インジウム (In)、ガリウム (Ga)及びセレン(Se)から構成される半導体材料を含むことができ、或は、Ｉｂ族元素、例えば、銅(Cu)又は銀(Ag)、IIIb族元素、例えば、アルミニウム(Al)、ガリウム(Ga)又はインジウム (In)及びVIb元素、例えば、硫黄(S)、セレン(Se)又はテルル(Te)から構成される化合物半導体材料を含むことができる。選択的パターン化緩衝層が透明上電極層の形成に用いられる時、光電変換層を保護し、電気伝送を補助する。ソーラーパネル１００及び１００’の構造は、同一であり、その相違する箇所は、配置の方位にあるので、後続では、ただそのうち１つのみを代表として説明する。
【００１７】
各ソーラーパネル１００（１００’）は、更に、両側電極箇所に設置される正面正極配線１２１ｂ（１２１ｂ’）、正面負極配線１１１ａ（１１１ａ’）、正面正極配線１２１ｂ（１２１ｂ’）からソーラーパネル１００（１００’）の背面まで折り返される背面正極配線１２２ｂ（１２２ｂ’）及び正面負極配線１１１ａ（１１１ａ’）からソーラーパネル１００（１００’）の背面まで折り返される背面負極配線１１２ａ（１１２ａ’）を含む。正面正極配線１２１ｂ（１２１ｂ’）は、ソーラーパネル１００（１００’）の正極とされ、正面負極配線１１１ａ（１１１ａ’）は、ソーラーパネル１００（１００’）の負極とされる。背面板１４０は、各ソーラーパネル１００（１００’ ）の中央領域に対応する箇所に少なくとも１つの孔（図示せず）を有することができ、各ソーラーパネル１００（１００’）の背面の背面正極配線１２２ｂ（１２２ｂ’）及び背面負極配線１１２ａ（１１２ａ’）をその少なくとも１つの孔（図示せず）から通過させ、外向きに接続させて互いに接続させることができる。配線は、例えば、銅箔(Copper foil)又は銅リボン(Copper ribbon)から構成されることができ、その他の金属又は合金線材により構成されることもできる。各ソーラーパネル１００（１００’）は、少なくとも１つのソーラーユニットセルを含むことができ、又は複数の相互に直列されるソーラーユニットセルを含むことができる。理解すべきこととして、直列又は並列方式で上記の配線を接続して配線をジャンクションボックスに電気接続することができるが、本考案の焦点を曖昧にしない為に、図中では、これらジャンクションボックスへの電気接続を省略する。
【００１８】
図１〜図３に示すように、矩形フレーム１６０は、パッケージ材料又は防水接着材料１６１を利用してガラス蓋板１３０、ソーラーパネル１００（１００’）及び背面板１４０の外縁に取り付けられ、ガラス蓋板１３０、ソーラーパネル１００（１００’）及び背面板１４０を挟持する堆積構造である。図１又は図２の平面図からみて、矩形フレーム１６０は、それぞれ２つの長辺及び２つの短辺を覆う４つのサブ構造から構成されるか、矩形フレーム１６０は、Ｌ形の２つのサブ構造（各サブ構造は、長辺及び短辺を覆う）から構成されることができる。矩形フレーム１６０は、例えば、アルミフレームである。
【００１９】
本考案の第１実施例に基づき、ソーラーパネルモジュール１０００のソーラーパネル１００及び１００’の間の距離ｄで示される非発電領域において、ｙ方向に沿って正面強化構造３００を設置する。この実施例において、図３に示されるように、正面強化構造３００は、巻線方式でｙ方向にソーラーパネルモジュール１０００全体を固定し（フレーム１６０を固定する）、従って、それは、ただソーラーパネルモジュール１０００の正面に設置されるだけではなく、ソーラーパネルモジュール１０００の背面まで更に延伸して背面強化構造３００＊になる。強化構造３００（３００＊）の滑動変位を減少し、強化構造３００（３００＊）及びフレーム１６０の間の摩擦を減少する為、強化構造３００（３００＊）及びフレーム１６０の間に選択的に緩衝パッド１６２を増設することができる。また、強化構造３００（３００＊）及びガラス蓋板１３０（背面板１４０）が過度に接近することを回避する為、強化構造３００（３００＊）及びガラス蓋板１３０（背面板１４０）の間に緩衝パッドを選択的に増設することもできる。正面（背面）強化構造３００（３００＊）は、好ましくは、ストリップ状の鋼索である。但し、後続の実施例に示すように、強化構造の異なる設計及び固定方式により、強化構造は、正面に位置し、且つ鋼索でないストリップ状物、例えば、円形鋼棒又は方形鋼棒、鋼シート、工字鋼梁等であることができる。緩衝パッドは、フレーム、ガラス蓋板１３０又は背面板１４０上に固定することができ、また、強化構造３００（３００＊）上に被せることができる。鋼索は、高い張力を有し、鋼索が構成する強化構造３００（３００＊）を取り付けたソーラーパネルモジュール１０００が負荷、例えば、風圧２０００又は大雪３０００を受ける時、鋼索は、ソーラーパネルモジュール１０００の変形に伴って応力集中の現象を減少させ、且つ負荷が消失する時、鋼索形状は、ソーラーパネルモジュール１０００の形状に伴って回復する。
【００２０】
ソーラーパネルモジュールの正面を強化し、風力を受けてソーラーパネルモジュール１０００が過度に変形してフレーム１６０を離脱することを回避する為、図２〜図３に示すように、ソーラーパネルモジュール１０００の背面は、強化構造３００（３００＊）に平行しない方向、特に、強化構造３００（３００＊）に垂直な方向、即ち、ｘ方向に沿って長形の背面支持構造５００を設置し、該支持構造５００は、強化構造３００（３００＊）に垂直な方向又はソーラーパネルモジュール１０００の背面の強化構造３００（３００＊）に平行な方向、即ち、ｙ方向に沿って長形の背面支持構造５００’を設置することができ（図２、図３に示さず）、フレーム内側から外向きの張力を提供し、強化構造３００（３００＊）の内向きの押圧力を平衡させる。ソーラーパネルモジュール１０００が負荷を受けた後、この２つの力が安定した平衡を達成することができる。図７を参考し、それは、ソーラーパネルモジュール及び本考案の背面支持構造５００の横断面透視図又は本考案のもう１つの背面支持構造５００’（背面図に示さず）の縦断面透視図を示し、そのうち、フレーム１６０の２つの短辺（２つの長辺）の内側にそれぞれ凹溝を有し、支持構造５００（支持構造５００’）、例えば、支持柱又は工字鋼梁の両端を凹溝に嵌め込ませ（図７は、例示的に一辺の凹溝及び支持構造５００／５００’の一端のみを示す）、フレーム１６０を固定する。フレーム１６０の内側凹溝が外側（図示せず）に到達するまで十分に深く延伸する時、支持構造５００／５００’、例えば、支持柱又は工字鋼梁の両端をフレームの外側に露出させる（図示せず）。支持柱は、ねじ込みねじ出しする伸縮可能な設計を有することができる。また、図７に示すように、支持柱の両端は、寸法が徐々に縮小する設計を有することができ、従って、対応する凹溝は、内側が大きく外側が小さい設計を有することもできる。類似して、フレーム１６０及び支持構造５００／５００’が直接接触することを回避する為、フレーム１６０及び支持構造の末端の間に緩衝パッドを増設することもできる。本考案の背面支持構造５００／５００’は、フレーム１６０の相対する両側を傾斜方向に固定することができ、格子状Ｓっ形を有し、フレーム１６０の四辺を支持することもできる。
【００２１】
図４〜図５を参照し、それは、ソーラーパネルモジュール１００００、本考案の第２実施例に基づく正面強化構造３００’及び本考案に基づく背面支持小僧５００の背面図及び縦断面図である。第２実施例及び第１実施例の差異は、正面強化構造３００’、その固定方式及びフレーム１６０’の設計にある。第２実施例において、フレーム１６０’は、下向き延伸部を有し、フック状の第２固定装置１６４が該下向き延伸部を係合して固定することができるようにする。正面強化構造３００’、例えば、鋼索の第１固定装置１６３、例えば、挟持具を結合する場合、螺子又はその他の係合部材を利用して、該第２固定装置１６４と緊密に結合する。正面強化構造３００’、例えば、鋼索は、結び、接着、溶接、プライヤー又は巻線の方式で第１固定装置１６３に結合し、両者の間は、張力調整装置（図示せず）を設け、両者の結合を補助し、適時又は定期的に張力を調整することができる。この実施例において、正面のみに強化構造３００’を設けており、従って、背面の図４では、強化構造がない。更なる強化効果を有することを望む場合、背面に強化構造３００’を設けることもできる。ソーラーパネルモジュール１０００のその他の部材及び背面支持構造５００（又は５００’）は、第１実施例と同一であるので、ここでは記載しない。
【００２２】
図４及び図６を参考とし、それは、ソーラーパネルモジュール１０００、本考案の第３実施例に基づく正面強化構造３００’’及び本考案に基づく背面支持構造５００の背面図及び縦断面透視図である。第３実施例及び第１実施例の差異は、正面強化構造３００’’の固定方式及びフレーム１６０’’の設計にある。第３実施例において、フレーム１６０’’は、外側凹溝、例えば、螺子孔を有し、第３固定装置１６５を該外側凹溝中に嵌合させることができる。正面強化構造３００’’、例えば、鋼索は、第３固定装置１６５に結合され、フレーム１６０’’の小型孔（図示せず）を通過する。正面強化構造３００’’、例えば、鋼索は、結び、接着、溶接又は巻線の方式で第３固定装置１６５に結合することができ、且つ第３固定装置１６５自身は、張力調整装置の一方の面が正面強化構造３００’’の他方の面に固定され、適時又は定義的に張力を調整するものであることができる。この実施例において、ただ正面のみに強化構造３００’’を設け、従って、背面の図４では、強化構造がない。更なる強化効果を有することを望む場合、背面に強化構造３００’’を設けることもできる。ソーラーパネルモジュール１０００のその他の部材及び背面支持構造５００（又は５００’）は、第１実施例と同一であるので、ここでは記載しない。
【００２３】
本考案の正面強化構造３００、３００’及び３００’’は、隣り合うソーラーパネルの間の非発電領域に設置され、発電を妨げない為、強化構造３００、３００’、３００’’の設置位置及び形状寸法を設計することができ、日光が+x方向又は-x方向（強化構造の長軸に垂直な方向）から照射し、ソーラーパネル１００（１００’）の平面と３０度を挟み、更には、１５度を挟む時、強化構造３００、３００’、３００’’の影は、発電領域を遮蔽しないようにする。また、本考案の強化構造及び支持構造は、その他の類型の非発電領域を有するソーラーパネルモジュール、特に、寸法の大きなソーラーパネルモジュールに応用することができ、気候状況、例えば、強大な風圧又は大雪によるモジュールの変形及びフレームの脱落を回避する。支持構造が強化構造に平行な方向に沿って設置される時、両者の設置位置は、重なるか、交錯することができる。また、両者の強化／支持効果の強弱に基づき、強化構造の設置距離は、支持構造の設置距離と同一又は相違することができる。
【００２４】
なお、本考案では好ましい実施例を前述の通り開示したが、これらは決して本考案に限定するものではなく、当該技術を熟知する者なら誰でも、本考案の方針と範囲を脱しない均等の枠内で各種の変更や改良を加えることができることは勿論である。
【符号の説明】
【００２５】
１００  ソーラーパネル
１００’  ソーラーパネル
１１１ａ  正面負極配線
１１１ａ’  正面負極配線
１１２ａ  背面負極配線
１１２ａ’  背面負極配線
１２１ｂ  正面正極配線
１２１ｂ’  正面正極配線
１２２ｂ  背面正極配線
１２２ｂ’  背面正極配線
１３０  ガラス蓋板
１４０  背面板
１６０  フレーム
１６０’  フレーム
１６０’’  フレーム
１６１  パッケージ材料
１６２  緩衝パッド
１６３  第１固定装置
１６４  第２固定装置
１６５  第３固定装置
３００  正面強化構造
３００＊  背面強化構造
３００’  正面強化構造
３００’’  正面強化構造
５００  背面強化構造
５００’  背面強化構造
１０００  ソーラーパネルモジュール
２０００  風圧
３０００  大雪
ｄ  距離
【図１】
0003200618.tif 000003
【図２】
0003200618.tif 000004
【図３】
0003200618.tif 000005
【図４】
0003200618.tif 000006
【図５】
0003200618.tif 000007
【図６】
0003200618.tif 000008
【図７】
0003200618.tif 000009
【手続補正書】
【提出日】平成27年8月18日(2015.8.18)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネルモジュールの強化構造であって、該ソーラーパネルモジュールは、複数のソーラーパネル及び該複数のソーラーパネルの外縁に位置するフレームを含み、該強化構造は、隣り合う２つの該ソーラーパネルの間の非発電領域に位置し、且つ前記強化構造は、鋼索、円形鋼棒、方形鋼棒、鋼シート又は工字鋼梁であるソーラーパネルモジュールの強化構造。
【請求項２】
前記強化構造は、該鋼索であり、且つ少なくとも１つの固定装置によって該フレームに結合する請求項１に記載のソーラーパネルモジュールの強化構造。
【請求項３】
前記固定装置は、挟持具又は張力調整装置である請求項２に記載のソーラーパネルモジュールの強化構造。
【請求項４】
前記強化構造は、該鋼索であり、且つ該ソーラーパネルモジュールの正面から背面まで延伸し、巻線方式で該フレームを固定する請求項１に記載のソーラーパネルモジュールの強化構造。
【請求項５】
前記強化構造及び該ソーラーパネルモジュールの間に設置される緩衝パッドを更に含む請求項１に記載のソーラーパネルモジュールの強化構造。
【請求項６】
前記緩衝パッドは、該強化構造及び該フレームの間に設置される請求項５に記載のソーラーパネルモジュールの強化構造。
【請求項７】
前記強化構造は、該鋼索であり、且つ該強化構造の一端は、張力調整装置と結合する請求項１に記載のソーラーパネルモジュールの強化構造。
【請求項８】
前記強化構造及び該ソーラーパネルモジュールの間にギャップを有する請求項１に記載のソーラーパネルモジュールの強化構造。
【請求項９】
前記強化構造は、ストリップ状であり、日光が該強化構造の長軸に垂直な方向から照射し、該ソーラーパネルの平面と３０度を挟む時、該強化構造の影は、該ソーラーパネルの発電領域を遮蔽しない請求項８に記載のソーラーパネルモジュールの強化構造。
【請求項１０】
前記強化構造は、ストリップ状であり、該ソーラーパネルモジュールは、背面に更に、長形支持構造を含む請求項１に記載のソーラーパネルモジュールの強化構造。
【請求項１１】
前記長形支持構造は、支持柱であり、且つ該支持柱は、伸縮可能な設計を有する請求項１０に記載のソーラーパネルモジュールの強化構造。
【請求項１２】
前記支持柱は、該フレームの相対両側を固定する請求項１１に記載のソーラーパネルモジュールの強化構造。
【請求項１３】
更に、該支持柱及び該フレームの間に位置する緩衝パッドを含む請求項１２に記載のソーラーパネルモジュールの強化構造。
【請求項１４】
前記支持柱の両末端は、該フレームの外側に露出する請求項１２に記載のソーラーパネルモジュールの強化構造。 
【手続補正２】
【補正対象書類名】明細書
【補正対象項目名】０００６
【補正方法】変更
【補正の内容】
【０００６】本考案の目的は、ソーラーパネルモジュールを劣悪な気候状況に対抗させる強化構造を提供することにあり、該ソーラーパネルモジュールは、複数のソーラーパネル及び該複数のソーラーパネルの外縁に位置するフレームを含み、該強化構造は、鋼索、円形鋼棒、方形鋼棒、鋼シート又は工字鋼梁であり、且つ隣り合う２つの該ソーラーパネルの間の非発電領域に位置する。
【手続補正３】
【補正対象書類名】明細書
【補正対象項目名】０００７
【補正方法】変更
【補正の内容】
【０００７】実施例において、該強化構造は、該鋼索であり、且つ少なくとも１つの固定装置、例えば、張力調整装置又は挟持具によって該フレームに結合される。もう１つの実施例において、該強化構造は、該鋼索であり、且つ巻線方式で該フレームを固定する。